(57)【要約】【課題】多数枚の摩擦板から成る摩擦板群を備えたロック装置によって背もたれの後傾動がロックされる椅子において、ロック装置及び椅子の組み立て作業の能率を向上させる。【手段】ロック装置１９は、ロック軸２４と、このロック軸２４を受ける軸受け金具２６とを備えている。ロック軸２４に、摩擦板群２３と、回転カム体２８と、摺動カム体２７と、皿ばね座金２９の群と、ロックナット４１とが嵌まっている。軸受け金具２６の軸受け穴３４は上向き開口の切り開き穴になっている。ロック軸２４に摩擦板群２３等の各部材を予め取り付けておいてから、ロック軸２４を軸受け穴３４に嵌め込むことができるため、ロック装置２９の組み立て作業を能率良く行うことができる。【選択図】      図７
2004298438.tif 000002
【特許請求の範囲】
【請求項１】
脚に取付けたベースと、ベースで支持された座と、ばね手段に抗して後傾動可能な背もたれと、背もたれの後傾動に対するロック装置とを備えており、
前記ロック装置は、多数枚の摩擦板を重ね合わせて成る摩擦板群と、前記摩擦板群に形成されている長穴に貫通したロック軸と、摩擦板群を挟んだ両側において前記ロック軸を支持する軸受け金具と、摩擦板群を挟圧する挟圧部材と、挟圧部材を操作するレバーとを備えており、
前記摩擦板群とロック軸とのうちいずれか一方を背もたれの傾動に連動させることにより、摩擦板群が挟圧されたロック状態と摩擦板群が挟圧されていないフリー状態とに切替えできるようになっている椅子であって、
前記軸受け金具におけるロック軸用軸受穴を、ロック軸をその軸線と直交した方向に移動させて嵌め込みできる切り開き穴に形成している、
椅子。
【請求項２】
前記ベースは、左右側板を備えた上向き開口の箱状に形成されていて、このベースの左右側板に形成した長穴に、背もたれに連動して略前後方向に移動する左右長手のスライド軸が挿入されている一方、
前記ロック軸はスライド軸と平行に延びるようにベースの内部に配置されており、
前記摩擦板群には、前記スライド軸が貫通するブッシュを挿通しており、
更に、前記軸受け金具又はベースに、スライド軸の挿通前にブッシュをベースの長穴と同心状又はこれに近い状態に保持する摩擦板群の姿勢保持手段が設けられている、
請求項１に記載した椅子。
【請求項３】
脚に取付けたベースと、ベースで支持された座と、ばね手段に抗して後傾動可能な背もたれと、背もたれの後傾動に対するロック装置とを備えており、
前記ロック装置は、多数枚の摩擦板を重ね合わせて成る摩擦板群と、前記摩擦板群に形成されている長穴に貫通したロック軸と、摩擦板群を挟んだ両側において前記ロック軸を支持する軸受け金具と、摩擦板群を挟圧する挟圧部材と、挟圧部材を操作するレバーとを備えており、
前記摩擦板群とロック軸とのうちいずれか一方を背もたれの傾動に連動させることにより、摩擦板群が挟圧されたロック状態と摩擦板群が挟圧されていないフリー状態とに切替えできるようになっている椅子であって、
前記摩擦板群には、背もたれに連動して移動するスライド軸が相対動不能に嵌まる非長穴が空いており、この非長穴と前記長穴とのうちいずれか一方又は両方にブッシュを嵌め込んでいる、
椅子。
【発明の詳細な説明】
【０００１】
【発明の属する技術分野】
本発明は、背もたれのロック装置を備えた椅子に関するものである。
【０００２】
【従来の技術】
後傾動可能な背もたれを備えたロッキング椅子において、背もたれを後傾動可能なフリー状態と後傾動不能のロック状態とに切替えできる傾動ロック装置を設けることが行われている。
【０００３】
このロック装置には、背もたれを２段階や３段階のような何段階かの姿勢でロックできる段階的ロック装置と、任意の姿勢にロックできる無段階的ロック装置とが存在しており、無段階ロック装置の方が使用者の好みに対応できて使い勝手が良いと言える。
【０００４】
そして、無段階的ロック装置の代表例としては、ガスシリンダを使用したものと、例えば特許文献１に開示されているように摩擦板群を使用したものとが存在しており、摩擦板群を使用したものはコンパクトでしかも安価に製造できる利点がある。
【０００５】
この摩擦板群を使用したロック装置は、摩擦板群の他に、摩擦板群に形成している長穴に貫通したロック軸と、摩擦板群を挟んだ両側において前記ロック軸を支持する軸受け金具と、摩擦板群を挟圧したロック状態と挟圧が解除されたフリー状態とに切り替える挟圧部材と、挟圧部材を操作するレバーとを備えており、特許文献１ではこれらの各部材を予め組み込んでユニット化することにより、椅子の組立作業の能率向上を企図している。
【０００６】
また、特許文献２では、摩擦板群を使用して背もたれの後傾範囲を調節する装置が提案されている（このものも背もたれに対するロック装置の一種であり、本願発明の対象である）。
【０００７】
【特許文献１】
特開２００１−８７７２号公報
【特許文献２】
特開２００１−９５６４１号公報
【０００８】
【発明が解決しようとする課題】
ところで、摩擦板方式のロック装置において、軸受け金具は、ロック軸が嵌まる穴を空けている左右の側板と、左右側板の上端間に繋がった天板とを備えており、左右側板と天板とで囲われた空間に摩擦板群や挟圧部材を配置している。
【０００９】
そして従来は、ロック軸を受けるために軸受け金具の側板に空けた軸受け穴は丸穴になっている。従って、ロック装置の組み立てに際しては、軸受け金具の左右側板間の空間に摩擦板群や挟圧部材を姿勢を揃えて配置して、これらにロック軸を挿通していた。
【００１０】
しかし、多数枚の摩擦板や他の部材を狭い空間に姿勢を揃えて配置するのが頗る厄介であるため、ロック装置の組み立て作業が面倒であった。特に、摩擦板の間に薄いワッシャーを介在させていると、ワッシャー群の姿勢保持が厄介であるため、組み立て作業が一層面倒であった。
【００１１】
また、ロック装置を椅子のベースに組み込むにおいては、摩擦板群に空けられている丸穴に、例えば背もたれと連動して動くスライド軸を挿通することにより、摩擦板群を背もたれに連動させることになるが、各摩擦板をその丸穴が同心状となるように保持するのが厄介であり、このため椅子への取付け作業が面倒であった。
【００１２】
本発明は、このような現状を改善することを課題とするものである。
【００１３】
【課題を解決するための手段】
本発明の椅子は、脚に取付けたベースと、ベースで支持された座と、ばね手段に抗して後傾動可能な背もたれと、背もたれを任意の姿勢で後傾不能に保持するロック装置とを備えており、前記ロック装置は、多数枚の摩擦板を重ね合わせて成る摩擦板群と、前記摩擦板群に形成されている長穴に貫通したロック軸と、摩擦板群を挟んだ両側において前記ロック軸を支持する軸受け金具と、摩擦板群を挟圧する挟圧部材と、挟圧部材を操作するレバーとを備えている。
【００１４】
更に、前記摩擦板群とロック軸とのうちいずれか一方を背もたれの傾動に連  動させることにより、摩擦板群が挟圧されたロック状態と摩擦板群が挟圧されていないフリー状態とに切替えできるようになっている。
【００１５】
そして、このような前提の構成の下で、特徴的な構成として、前記軸受け金具におけるロック軸用軸受穴を、ロック軸をその軸線と直交した方向に移動させて嵌め込みできる切り開き穴に形成している。
【００１６】
請求項２では、請求項１において、前記ベースは、左右側板を備えた上向き開口の箱状に形成されていて、このベースの左右側板に形成した長穴に、背もたれに連動して略前後方向に移動する左右長手のスライド軸が挿入されている。
【００１７】
一方、前記ロック軸はスライド軸と平行に延びるようにベースの内部に配置されており、前記摩擦板群には、前記スライド軸が貫通するブッシュを挿通している。更に、前記軸受け金具又はベースに、スライド軸の挿通前にブッシュをベースの長穴と同心状又はこれに近い状態に保持する摩擦板群の姿勢保持手段が設けられている。
【００１８】
請求項３の発明では、請求項１と同じ前提の構成において、前記摩擦板群には、背もたれに連動して移動するスライド軸が相対動不能に嵌まる非長穴が空いており、この非長穴と前記長穴とのうちいずれか一方又は両方にブッシュを嵌め込んでいる点を特徴としている。
【００１９】
【発明の実施形態】
次に、本発明の実施形態を図面に基づいて説明する。
【００２０】
（１）．椅子の概要（図１〜図３）
まず、椅子の概要を図１〜図３に基づいて説明する。図１は側面図、図２は機構部の分離斜視図、図３は縦断側面図である。なお、図１〜図３では、便宜上、ロック装置は捨象している。
【００２１】
椅子は、脚１と座２と背もたれ３と肘掛け装置４とを備えている。脚１は高さ調節自在な脚柱（ガスシリンダ）５を備えており、脚柱５の上端に、上向きに開口したベース６を取付けている。ベース６は金属板製であり、その左右側板６ａの前部には、側面視でやや後傾した姿勢の長穴７が空いている。
【００２２】
ベース６の上方には金属板製の中間部材８が配置されている。中間部材８はベース６の左右外側に位置する側板８ａを備えており、この中間部材８の側板８ａとベース６の長穴６ａとに第１支軸（スライド軸）９を挿通している。なお、ベース６と中間部材８とには合成樹脂製のブッシュを嵌めているが、図では省略している。
【００２３】
中間部材８の前部下面には正面視下向き開口コ字状の補助ブラケット１０を固着しており、第１支軸９は補助ブラケット１０の側板にも貫通している。このため、第１支軸９の撓みを防止して、座２を安定して支持することができる。
【００２４】
ベース６の下面のうち脚柱５が取付いている近傍には正面視下向き開口コ字状の下ブラケット１１を固着しており、この下ブラケット１１に、第２支軸１２によって揺動フレーム１３を後傾動自在に取付けている。背もたれ３は、合成樹脂製等のアウターシェルにクッションを張った構造になっており、アウターシェルを揺動フレーム１３に固定している。
【００２５】
中間部材８の後部と揺動フレーム１３の前後中途部とは、第３軸１４によって連結されている。このため、背もたれ３が後傾すると中間部材８は後退動する。揺動フレーム１３の後傾動は、調節摘まみ１５で支持されたばね１６で弾性的に支持されている。なお、ばね１６の配置位置は自由に設定できる。
【００２６】
座２は、前後に分割されたインナーシェル１６，１７にクッションを張った構造になっており、前部インナーシェル１６は、中間部材８に後傾動可能で上抜き離反しない状態に取付けられている。他方、後部インナーシェル１７は、揺動フレーム１３に係止されている。本実施形態の椅子では、中間部材８が後傾し切ってから座２は若干の寸法だけ後退動し得るようになっている。
【００２７】
言うまでもないが、本願発明を適用できる椅子は図示の椅子には限らず、背もたれが後傾動する椅子に広く適用することができる。
【００２８】
（２）．ロック装置の構造
次に、ロック装置の構造を図４〜図１２に基づいて説明する。図４は機構部の一部破断平面図、図５はロック装置１９の平面図、図６はユニット化されたロック装置１９をベース６から分離した状態の斜視図、図７はロック装置１９の分離斜視図、図８及び図９は部材の分離斜視図、図１０は作用を示す側断面図、図１１のうち（Ａ）は図５のＡ−Ａ視断面図、（Ｂ）は図５のＢ−Ｂ視断面図、図１２は組み立て後における図５のＸＩＩ−ＸＩＩ視断面図である。
【００２９】
ロック装置１９は、例えば図７から容易に理解できるように、前後に長い小判型の摩擦板２０と摩擦係数の大きい前後ワッシャー２１，２２とを交互に重ねて成る摩擦板群２３と、摩擦板群２３に貫通したロック軸２４と、ロック軸２４の外端部に固定したレバー（ハンドル）２５と、ロック装置１９を支持する軸受け金具（軸受け部材）２６と、挟圧部材（挟圧手段）の一例としての摺動カム体２７及び回転カム体２８と、複数枚の皿ばね座金２９とを備えている。
【００３０】
ベース６の側板６ａには、ロック軸２４を挿通する窓穴４２が空いている。なお、各平面図ではワッシャー２１，２２は省略している。
【００３１】
各摩擦板２０の前部には、請求項３に記載した非長穴としての小判形の第１穴３０が空いており、各摩擦板２０の第１穴３０に合成樹脂製の第１ブッシュ３１を嵌め入れ、この第１ブッシュ３１に第１支軸９を挿通している。第１ブッシュ３１は、摩擦板群２３の一方の面に重なる大径部３１ａと、摩擦板群２３に貫通した二つ割り状の軸部３１ｂとを備えており、軸部３１ｂの先端には摩擦板群２３の他方の面に重なる爪３１ｃを形成している。
【００３２】
従って、各摩擦板２０及び前部ワッシャー２１は、第１ブッシュ３１によって離反不能に保持されている。第１ブッシュ３１の軸部３１ｂは前後に位置しているため、荷重は第１ブッシュ３１の軸部３１ｂを介して第１軸９と摩擦板２０との間に作用する。このため、第１軸９の傷つきを防止できる。
【００３３】
本実施形態のように第１ブッシュ３１の軸部３１ｂを複数割り状に形成してその先端に爪３１ｃを形成すると、軸部３１ｂの弾性を利用して摩擦板群２３を嵌め込めるため、構造が簡単になる利点がある。もとより、軸部３１ｂを筒状に形成して、その先端にナットやスナップリング等の抜け止め材を取付けることも可能である。
【００３４】
各摩擦板２０には、第１穴３０の後方に位置した前後長手の第２穴３２が空いており、この第２穴３２と後部ワッシャー２２とに第２ブッシュ３３を嵌め入れて、第２ブッシュ３３にロック軸２４を挿通している。
【００３５】
軸受け金具２６は金属板を板金加工して形成されており、ロック軸２４を支持する軸受け穴３４が上向きに切り開き形成されている左右の側板２６ａと、左右側板２６ａを軸受け穴３４の前後両側において一体に繋ぐ前後の天板２６ｂ，２６ｃとを備えており、左右側板２６ａで挟まれた空間に摩擦板群２３が配置されている。
【００３６】
図１２に示すように、摩擦板群２３は軸受け金具２６の前後天板２６ｂ，２６ｃに密接させており、かつ、摩擦板群２３と後部天板２３ｃの下方まで後退させ得るように設定している。また、摩擦板群２３は後退させ切った状態で重心がロック軸２４よりも前方にくるように設定している。軸受け金具２６は、ベース６に下方から挿通したねじ（ビス）３５によってベース６の底面に固定される。
【００３７】
軸受け金具２６の軸受け穴３４は、ロック軸２４よりも大径でかつ開口部は幅狭の鍵穴状になっている。第２ブッシュ３３の一端部（右端部）には、軸受け金具２６の一方の側板２６ａの内面に重なる大径のフランジ３３ａと、一方の軸受け穴３４に上向き抜け不能に嵌まるボス部３３ｂとを形成している。
【００３８】
また、摺動カム体２７は合成樹脂製であり、軸受け金具２６における他方の軸受け穴３４に外側から嵌まるボス部２７ａと、軸受け金具２６における他方の側板２６ａに外側から重なるフランジ部２７ｂとを備えており、ボス部２７ｂに、軸受け穴３４の開口部３４ａに嵌まるキー部２７ｃを一体に形成している。従って、摺動カム体２７は、回転不能でかつ軸方向に移動可能に保持されている。
【００３９】
第２ブッシュ３３の他端部は摩擦板群２３から若干はみ出しており、摺動カム体２７のボス部２７ａに嵌まり込んでいる。このため、摺動カム体２７がその軸方向に多少移動しても、摩擦板群２３はその全体が第２ブッシュ３３で確実に支持される。
【００４０】
図８に明示するように、摺動カム体２７の外端面には、軸心を挟んだ一対の従動カム部３６を成している。従動カム部３６は、円周方向に徐々に高さ（軸方向の高さ）が高くなる傾斜面３６ａを備えている。
【００４１】
他方、回転カム体２８のうち摺動カム体２７と重なる面には、摺動カム体２７の従動カム部３６と対と成す一対の駆動カム部３７が軸心を挟んだ両側に形成されている。駆動カム部３７も、軸方向の高さが徐々に変化する傾斜面３７ａを備えている。
【００４２】
従って、回転カム体２８は９０度弱回転することにより、摺動カム体２７を強く押圧する挟圧状態（ロック状態）と、摺動カム体２７に対して押圧力が作用していない弛緩状態（フリー状態）とに切り替えることができる。そして、回転カム体２８に、挟圧状態において軸受け金具２６のフランジに当たる第１ストッパー２８ａと、弛緩状態において軸受け金具２６のフランジに当たる第２ストッパー２８ｂとを形成している。
【００４３】
回転カム体２８の外端面には、軸線と直交した方向に延びる略小判形の係合溝３８を形成している。他方、ロック軸２４の中途部には、回転カム体２８の係合溝３８にきっちり嵌合する係合突起３９を形成している。
【００４４】
従って、ロック軸２４は軸受け金具２６の方向に向け移動不能に保持され、かつ、回転カム体２８はロック軸２４と一体に回転させることができる。なお、ロック軸２４と回転カム体２８とは、係合溝３８と係合突起３９との組合せに限らず、他の係合手段によって一体に回転させても良い。
【００４５】
言うまでもないが、レバー２５はロック軸２４に相対回転不能に取付けられている。なお、ロック軸２４の外端部をＬ字状に折り曲げることによってレバーと成し、その先端に摘まみを設けるなどしても良い。
【００４６】
ロック軸２４のうちレバー２５と反対側の先端部は軸受け金具２６の外側にはみ出しており、このはみ出し部に平座金４０と皿ばね座金２９の群とを嵌め込み、これら平座金４０と皿ばね座金２９との群を、ロックナット（ダブルナット）４１によって軸受け金具２６の側板２６ａに挟圧している。
【００４７】
皿ばね座金２９の群は、隣合ったものが互いに逆向きの姿勢となるように配置している。これは、ロックナット４１の締め込みによって皿ばね座金２９の群を弾性変形させるためである。弾性手段としては、皿ばね座金２９には限らず、コイルばねやゴムなどの他の弾性体を使用することも可能である。
【００４８】
上述の説明から既に理解できるように、図１０（Ａ）の弛緩状態では、摺動カム体２７には回転カム体２８の押圧作用は働いていないため、摩擦板群２３は自在に前後移動し得るフリー状態になっており、このため、第１支軸９が自在に前後動し得て、背もたれ３は自在に傾動し得る。
【００４９】
他方、レバー２５を操作して回転カム体２８を図１０（Ｂ）のような挟圧状態に回転させると、摺動カム体２７が回転カム体２８によって押されることにより、摩擦板群２３は互いに強く密着するように挟圧されて、ロック軸２４と摺動カム体２７と第２ブッシュ３３とが相対動不能に保持され、その結果、摩擦板群２３は移動不能に保持される。このため、第１支軸９が前後動不能なロック状態になって、背もたれ３も傾動不能に保持される。
【００５０】
（３）．ロック装置の組み立て（図１３〜図１４）
本実施形態では、ロック装置１９の組み付け手順としては、先ず、ロック装置１９を組み立ててユニット化し、次いで、ロック装置１９をベース６にねじで固定し、それから中間部材８及び補助ブラケット１０と摩擦板群２３とにに第１支軸９を挿通している（ロック装置１９をねじで仮止めした状態で第１支軸９を摩擦板２０に挿通してから、ねじ３５を本締めしても良い）。
【００５１】
そして、ロック装置１９をユニット化するに当たっては、図１３の分離平面図に示すように、摩擦板群２３をその先端部において第１ブッシュ３１で連結すると共に、ロック軸２４に摩擦板群２３等の各部材を嵌め込んで、各部材が離脱しないようにロックナット４１を軽くねじ込んでおく。
【００５２】
この状態では、摩擦板群２３が軸受け金具２６の外側に位置した状態で摩擦板群２３を軸受け金具２６の内部に挿入できるように、摺動カム体２７との間にある程度の間隔を空けた状態にしている。また、第１ブッシュ３１の長さＬは、軸受け金具２６の内部に挿入できる長さに設定している。
【００５３】
それから、図１４に示すように、第２ブッシュ３３を軸受け金具２６の内部に嵌め入れると共に摺動カム体２７を軸受け金具２６の外側にずらしておくことにより、ロック軸２４を軸受け金具２６の左右軸受け穴３４に嵌め入れる。
【００５４】
次いで、第２ブッシュ３３と摺動カム体２７とをずらすことにより、第２ブッシュ３３と摺動カム体２７とのボス部３３ａ，２７ｂをそれぞれ軸受け穴３４に嵌め込み、それからロックナット４１を締め込む。これにより、ロック装置１９はレバー２５を除いて一つにユニット化される。
【００５５】
それから、図６に示すように、ロック軸２４を斜めにした姿勢でベース６の窓穴４２に嵌め入れてから軸受け金具２６をベース６の底面に重ねてねじ止めし、次いで、ベース６と摩擦板群２３と中間部材８と補助ブラケット１０とに第１支軸９を挿通し、最後に、ロック軸２４にレバー２５を取付ける。
【００５６】
この組み立てにおいて、軸受け金具２６の軸受け穴３４を上向き開口の切り開き穴に形成しているため、予めロック軸２４に摩擦板群２３と他の部材を嵌め込んだ状態でこれを軸受け金具２６に取付けることができる。そして、ロック軸２４に摩擦板群２３等を嵌め込む作業は簡単にできるため、ロック装置１９の組み立て作業もごく簡単に行えるのである。
【００５７】
軸受け金具２６の軸受け穴３４を溝幅が一体のＵ字状に形成することも可能であるが、この場合はロック軸の抜け止めのための別の部材が必要になる。これに対して本実施形態のように軸受け穴３４を鍵穴状に形成すると、押さえ部材を要することなくロック軸を上向き抜け不能に保持できる利点がある。
【００５８】
なお、ロック軸２４に摩擦板群２３及び他の部材を取り付けておく一方、軸受け金具２６を予めベース６に固定しておいて、軸受け金具２６に、摩擦板群２３等が取付いたロック軸２４を嵌め込んでロック装置１９を組み立てることも可能である。
【００５９】
（４）．第１支軸９の嵌め入れ（図１５〜図１７）
ロック装置１９の取付けに先立って中間部材８は第３軸１４で揺動フレーム１３に取付けられており、中間部材８を跳ね上げた状態にしておいてからロック装置１９をベース６に取付け、それから中間部材８を倒し回動して、第１支軸９を挿通することになる。
【００６０】
この場合、中間部材８はベース６に被さっているため、中間部材８を倒すと人は摩擦板群２３を触ることはできない。そこで本願発明では、人が摩擦板群２３に触れることができなくても第１支軸９を摩擦板群２３に簡単に挿通できるように配慮している。この点を図１５〜１７に基づいて説明する。
【００６１】
図１５は図５のＣ−Ｃ視断面図、図１６は図１５の  ＸＶＩ−ＸＶＩ視断面図であり、両図から理解できるように、摩擦板群２３を後退させ切ると、摩擦板群２３は重心がロック軸２４よりも手前に位置しているため、摩擦板群２３はその後部が軸受け金具２６の後部天板２６ｃに当たって倒れ回動不能に保持される。
【００６２】
この状態で摩擦板群２３は僅かしか回動していないため、第１ブッシュ３１の軸心４４はベース６の長穴７の中心線４５よりも若干の寸法Ｅだけ下がるに過ぎない。そこで、前記ずれ寸法Ｅを吸収して第１軸９を第１ブッシュ３１に誘い込むガイド手段の一例として、第１ブッシュ３１の穴の端部にテーパ部３１ｄを形成すると共に、第１軸９の端部に面取り状のテーパ部９ａを形成している。
【００６３】
従って、図１７に示すように、第１軸９を中間部材８及びベース６並びに補助ブラケット１０というように差し込むと、第１軸９はテーパ部９ａ，３１ｄのガイド作用によって第１ブッシュ３１に嵌まり込み、これにより、摩擦板群２３はその前部が持ち上がるように姿勢が変わってベース６の長穴７と同心になる。このため、第１軸９の挿入によるロック装置１９と中間部材８との組み付けをごく簡単に行うことができる。
【００６４】
第１軸９を第１ブッシュ３１に誘い込むガイド手段としては、第１ブッシュ３１のテーパ部３１ｄと第１軸９のテーパ部９ａとのうちいずれか一方だけを採用しても良い。また、本実施形態では、軸受け金具２６の後部天板２６ｃが背もたれ２に記載した姿勢保持手段を兼用しているが、前部天板２６ｂを姿勢保持手段と成しても良い。
【００６５】
更に、摩擦板群２３を軸受け金具２６の前後天板２３ｂ，２３ｃの下面に摺接させることも可能であり、この場合は、第１ブッシュ３１の軸心４４はベース６の長穴７の中心線４５と同じ高さになるため、必ずしも第１軸受け金具２６と第１軸９とにガイド手段を設ける必要はない。
【００６６】
摩擦板群２３の姿勢保持手段（ストッパー手段）としては様々の態様を選択できるが、本実施形態のように軸受け金具２６の天板２６ｂ，２６ｃを利用すると、部材点数を抑制してロック装置装置の構造が簡単になる利点がある。
【００６７】
（５）．その他
本発明は、上記の実施形態の他に様々に具体化することができる。例えば、座と背もたれとをシンクロ（連動）させる椅子として、第１軸は移動せずに第２軸がスライド軸になっているタイプのものがあるが、この場合は、第２軸を摩擦板群に挿通したら良い。
【００６８】
摩擦板群を挟圧する挟圧部材（挟圧手段）としては、実施形態のような端面カムには限らず、特許文献１，２に記載されている外周面カムを使用したり、ねじ機構を採用するなど、様々の態様を選択することができる。
【００６９】
また、摩擦板群は必ずしもスライド軸に取付ける必要はなく、例えば背もたれが取付く揺動フレームに取付けることも可能である。或いは、摩擦板群を例えばベースに移動不能に固定しておいて、座や中間部材に設けたロック軸を摩擦板群に挿通することも可能である（この場合はロック軸が移動する）。
【００７０】
【発明の効果】
請求項１の発明によると、ロック装置の組み立てにおいて、ロック軸を軸受け金具に嵌め込む前に、摩擦板群等の各部材を予めロック軸に嵌め込んでおけるため、摩擦板群等の部材をロック軸に簡単に取付けることができ、その結果、ロック装置の組み立て作業の手間を軽減することができる。
【００７１】
請求項２のように構成すると、椅子の組み立て作業において人が摩擦板群に触れることができない状態になっていても、摩擦板群にスライド軸を簡単に挿通することができるため、椅子の組み立て作業の能率を向上させることができる。
【００７２】
請求項３のように構成すると、多数枚の摩擦板をブッシュによって一体に連結保持できるため、ロック装置の組み立て能率を向上させることができる。また、ブッシュを合成樹脂製とすることにより、スライド軸の傷付きを防止することもできる。
【図面の簡単な説明】
【図１】椅子の側面図である。
【図２】椅子の機構部の分離斜視図である。
【図３】椅子の縦断側面図である。
【図４】椅子の機構部の一部破断平面図である。
【図５】ロック装置の平面図である。
【図６】ロック装置とベースとの分離斜視図である。
【図７】ロック装置を構成する部材の分離斜視図である。
【図８】ロック装置を構成する部材の分離斜視図である。
【図９】回転カム体とロック軸との分離斜視図である。
【図１０】作用を示す側断面図である。
【図１１】（Ａ）は図５の  Ａ−Ａ視断面図、  （Ｂ）は図５の  Ｂ−Ｂ視断面図である。
【図１２】組立後における図５のＸＩＩ−ＸＩＩ視断面図である。
【図１３】ロック装置の組み立て手順示す分離平面図である。
【図１４】ロック装置の組み立て手順示す平面図である。
【図１５】図５のＸＶ−ＸＶ視断面図である。
【図１６】図１５の  ＸＶＩ−ＸＶＩ視断面図である。
【図１７】組み立て途中の状態を示す図である。
【符号の説明】
１  脚
２  座
３  背もたれ
６  ベース
９  第１軸（スライド軸）
１３  揺動フレーム
１６  後傾支持用のばね
１９  ロック装置
２０  摩擦板
２１，２２  ワッシャー
２３  摩擦板群
２４  ロック軸
２５  レバー
２６  軸受け金具
２７  挟圧部材を構成する摺動カム体
２８  挟圧部材を構成する回転カム体
３０  第１穴
３１  第１ブッシュ
３２  第２穴（長穴）
３４  軸受け穴
【図１】
2004298438.tif 000003
【図２】
2004298438.tif 000004
【図３】
2004298438.tif 000005
【図４】
2004298438.tif 000006
【図５】
2004298438.tif 000007
【図６】
2004298438.tif 000008
【図７】
2004298438.tif 000009
【図８】
2004298438.tif 000010
【図９】
2004298438.tif 000011
【図１０】
2004298438.tif 000012
【図１１】
2004298438.tif 000013
【図１２】
2004298438.tif 000014
【図１３】
2004298438.tif 000015
【図１４】
2004298438.tif 000016
【図１５】
2004298438.tif 000017
【図１６】
2004298438.tif 000018
【図１７】
2004298438.tif 000019